(57)【特許請求の範囲】
【請求項１】
液晶表示パネルの駆動に用いられるドライバＩＣであって、
前記液晶表示パネルの複数の行配線又は複数の列配線のそれぞれに対して信号を出力する複数の出力チャネルと、
前記複数の出力チャネルのそれぞれに対応する複数の出力バッファ回路と、
予め設定されたチャネル数に応じて、前記複数の出力チャネルから信号の出力に使用する出力チャネルを選択する出力チャネル選択回路と、
を備え、
前記複数の出力バッファ回路は、隣り合う２つの出力バッファ回路でペアをなし、それぞれ対応する前記出力チャネルに接続され、
前記複数の出力チャネルは、
前記出力チャネル選択回路によって選択されている有効チャネルと、
前記有効チャネル以外の無効チャネルと、
を含み、
ペアをなす前記隣り合う２つの出力バッファ回路のうち、一方が前記有効チャネル、他方が前記無効チャネルに対応し、前記有効チャネルの前記出力バッファ回路に異常が生じた場合、当該有効チャネルからの信号の出力を継続するために、異常の生じた前記出力バッファ回路が、前記無効チャネルの前記出力バッファ回路に自動的に切り替えられる、ドライバＩＣ。
【請求項２】
前記出力バッファ回路の異常を検出する異常検出回路と、
セレクタ回路と、
をさらに備え、
前記セレクタ回路は、前記異常検出回路が前記有効チャネルの前記出力バッファ回路の異常を検出した場合、異常が検出された前記出力バッファ回路を、前記無効チャネルの出力バッファ回路に切り替える、
請求項１に記載のドライバＩＣ。
【請求項３】
前記異常検出回路は、前記出力バッファ回路が消費する電流に基づいて、前記出力バッファ回路の異常を検出する、
請求項２に記載のドライバＩＣ。
【請求項４】
前記異常検出回路は、前記出力バッファ回路が出力する信号の電圧レベルに基づいて、前記出力バッファ回路の異常を検出する、
請求項２に記載のドライバＩＣ。
【請求項５】
前記異常検出回路は、前記出力バッファ回路が出力する信号の周期に基づいて、前記出力バッファ回路の異常を検出する、
請求項２に記載のドライバＩＣ。
【請求項６】
前記異常検出回路は、複数の前記出力バッファ回路において共用される、
請求項２から請求項５のいずれか一項に記載のドライバＩＣ。
【請求項７】
請求項１から請求項６のいずれか一項に記載のドライバＩＣと、
前記ドライバＩＣによって駆動される液晶表示パネルと、
を備える、
液晶表示装置。
【請求項８】
請求項１から請求項６のいずれか一項に記載のドライバＩＣの複数と、
前記ドライバＩＣによって駆動される液晶表示パネルと、
を備え、
複数の前記ドライバＩＣのいずれか１つはマスターモードに設定され、その他の前記ドライバＩＣはスレーブモードに設定され、
前記スレーブモードに設定されたドライバＩＣは、前記マスターモードに設定されたドライバＩＣにて生成される制御信号に従って動作し、
複数の前記ドライバＩＣのそれぞれにおいて、異常が検出された前記出力バッファ回路を前記無効チャネルの出力バッファ回路へ切り替える動作は、当該ドライバＩＣが前記マスターモードか前記スレーブモードかに関わらず行われる、
液晶表示装置。
【発明の詳細な説明】
【技術分野】
【０００１】
本発明はドライバＩＣおよび液晶表示装置に関する。
【背景技術】
【０００２】
液晶表示パネルの複数のソース信号線のそれぞれに電圧を印加して、各画素のソース電極を駆動するためにソースドライバＩＣ（以下、単にドライバＩＣと記載する）が利用されている。ドライバＩＣは複数の出力チャネル（例えば１４４０ｃｈ）を備える。
【０００３】
液晶表示パネルの高解像度化に伴い、出力チャンネル切替え機能を有するドライバＩＣの開発が加速しており、今後も、車載向けや民生向けなど、更なる適用拡大が見込まれている。ここで、出力チャンネル切替え機能とは、液晶表示パネルのソース信号線の本数に応じて、使用する出力チャネルの数を切り替える機能である。
【０００４】
例えば、ドライバＩＣは、出力チャネル数を１４４０ｃｈ、１２８０ｃｈ、１０２４ｃｈ、９６０ｃｈの間で切替可能である。液晶表示パネルのチャネル数が１０２４ｃｈの場合、ドライバＩＣは、出力チャネル切替機能により１０２４ｃｈを選択する。
【０００５】
例えば、特許文献１においては、液晶表示パネルとドライバＩＣの間において、Ｃ本単位で信号線の接続、非接続を選択する技術が開示されている。
【先行技術文献】
【特許文献】
【０００６】
【特許文献１】特開２００５−７７５２７号公報
【発明の概要】
【発明が解決しようとする課題】
【０００７】
従来は、出力チャネル切替機能によりドライバＩＣの出力チャネル数の一部の出力チャネルが選択されて液晶表示パネルの駆動に使用される場合、選択されなかった出力チャネルは機能していなかった。また、いずれかのドライバＩＣの出力チャネルに異常が発生した場合に、異常が発生した出力チャネルのバックアップ動作が行われることが要求されていた。
【０００８】
本発明は、以上のような課題を解決するためになされたものであり、液晶パネルの駆動に使用されていない出力チャネルの回路を、他の出力チャネルの回路に異常が発生した場合のバックアップとして利用するドライバＩＣおよび液晶表示装置の提供を目的とする。
【課題を解決するための手段】
【０００９】
本発明に係るドライバＩＣは、液晶表示パネルの駆動に用いられるドライバＩＣであって、液晶表示パネルの複数の行配線又は複数の列配線のそれぞれに対して信号を出力する複数の出力チャネルと、複数の出力チャネルのそれぞれに対応する複数の出力バッファ回路と、予め設定されたチャネル数に応じて、複数の出力チャネルから信号の出力に使用する出力チャネルを選択する出力チャネル選択回路と、を備え、複数の出力バッファ回路は、隣り合う２つの出力バッファ回路でペアをなし、それぞれ対応する出力チャネルに接続され、複数の出力チャネルは、出力チャネル選択回路によって選択されている有効チャネルと、有効チャネル以外の無効チャネルと、を含み、ペアをなす隣り合う２つの出力バッファ回路のうち、一方が有効チャネル、他方が無効チャネルに対応し、有効チャネルの出力バッファ回路に異常が生じた場合、有効チャネルからの信号の出力を継続するために、異常の生じた出力バッファ回路が、無効チャネルの出力バッファ回路に自動的に切り替えられる。
【発明の効果】
【００１０】
本発明に係るドライバＩＣにおいては、有効チャネルの出力バッファ回路に異常が生じた場合、有効チャネルからの信号の出力を継続するために、異常の生じた出力バッファ回路が、無効チャネルの出力バッファ回路に自動的に切り替えられる。よって、無効チャネルの出力バッファ回路をバックアップ（Ｆａｉｌ−Ｓａｆｅ）のための出力バッファ回路として利用することが可能となり、ドライバＩＣの信頼性を高めることが可能となる。
【図面の簡単な説明】
【００１１】
【図１】実施の形態１に係る液晶表示装置の構成を示す図である。
【図２】実施の形態１に係るドライバＩＣのブロック図である。
【図３】実施の形態１に係る出力回路の構成を示す図である。
【図４】実施の形態１に係る異常検出回路の構成を示す図である。
【図５】実施の形態１に係る切替回路の構成を示す図である。
【図６】実施の形態１に係る出力バッファ回路、異常検出回路およびセレクタ回路の接続関係を示す図である。
【図７】実施の形態１に係るドライバＩＣにおける有効チャネルと無効チャネルの割り当ての一例を示す図である。
【図８】実施の形態１に係るドライバＩＣにおける有効チャネルと無効チャネルの割り当ての一例を示す図である。
【図９】実施の形態１に係るドライバＩＣにおける有効チャネルと無効チャネルの割り当ての一例を示す図である。
【図１０】実施の形態２に係る異常検出回路の構成を示す図である。
【図１１】実施の形態２に係る出力バッファ回路、異常検出回路およびセレクタ回路の接続関係を示す図である。
【図１２】実施の形態３に係る出力バッファ回路、異常検出回路およびセレクタ回路の接続関係を示す図である。
【発明を実施するための形態】
【００１２】
＜実施の形態１＞
図１は、本実施の形態１における液晶表示装置の構成を示す図である。液晶表示装置は、液晶表示パネル１０と、複数のドライバＩＣとを備える。ドライバＩＣは、液晶表示パネル１０のソース信号線（列方向配線）を駆動するソースドライバＩＣ１１と、液晶表示パネルのゲート信号線（行方向配線）を駆動するゲートドライバＩＣ１２である。
【００１３】
本実施の形態１では、ドライバＩＣとしてソースドライバＩＣ１１の構成に関して説明する。以降では、ソースドライバＩＣ１１を単にドライバＩＣ１１と記載する。なお、図１においてはドライバＩＣ１１を２個配置した構成となっているが、ドライバＩＣ１１の個数はこれに限定されない。
【００１４】
ドライバＩＣ１１には、入力信号部１３から、制御信号、ディジタル信号の画像信号、パネル画素へ印加する際の基準となるアナログ電圧などが入力される。ドライバＩＣ１１の出力信号部１４から、液晶表示パネル１０の各ソース信号線に対して、出力信号部１４を介してドライバＩＣ１１から出力信号が入力される。
【００１５】
図２は、本実施の形態１におけるドライバＩＣ１１のブロック図である。図２に示すように、ドライバＩＣ１１は、入力データ回路２１、シフトレジスタ回路２２、ガンマ生成回路２３、Ｄ／Ａ変換回路２４、出力回路２５、出力チャネル選択回路２６を備える。
【００１６】
入力データ回路２１には、制御信号、ディジタル信号の画像信号、パネル画素へ印加する際の基準となるアナログ電圧などが入力される。ガンマ生成回路２３は、画像信号が液晶表示パネル１０において所望の階調を再現できるように、画像信号の補正を行う。Ｄ／Ａ変換回路２４は、出力回路２５の前段に設けられ、画像信号をディジタル信号からアナログ信号に変換する。
【００１７】
出力回路２５は、出力チャネルｃｈ１〜ｃｈｎの数だけ出力バッファ回路を備える。出力チャネル選択回路２６は、出力チャンネル選択機能によって、出力チャネルｃｈ１〜ｃｈｎのそれぞれを有効チャネル又は無効チャネルのいずれかに割り当てる。有効チャネルは、液晶表示パネル１０の駆動に使用される。無効チャネルは、有効チャネルに異常が発生した際に有効チャネルのバックアップとして使用される。
【００１８】
入力データ回路２１、シフトレジスタ回路２２、ガンマ生成回路２３、Ｄ／Ａ変換回路２４、出力回路２５、出力チャネル選択回路２６は、専用のハードウェア（処理回路）であっても、図示しないメモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００１９】
入力データ回路２１、シフトレジスタ回路２２、ガンマ生成回路２３、Ｄ／Ａ変換回路２４、出力回路２５、出力チャネル選択回路２６がハードウェアである場合、これらの回路は、例えば、単一回路、複合回路、プログラム化したプロセッサ、並列プログラム化したプロセッサ、ＡＳＩＣ、ＦＰＧＡ、またはこれらを組み合わせたものが該当する。
【００２０】
入力データ回路２１、シフトレジスタ回路２２、ガンマ生成回路２３、Ｄ／Ａ変換回路２４、出力回路２５、出力チャネル選択回路２６がＣＰＵの場合、これらの機能はソフトウェア、ファームウェア、またはソフトウェアとファームウェアとの組み合わせにより実現される。ソフトウェアやファームウェアはプログラムとして記述され、メモリに格納される。入力データ回路２１、シフトレジスタ回路２２、ガンマ生成回路２３、Ｄ／Ａ変換回路２４、出力回路２５、出力チャネル選択回路２６は、メモリに記憶されたプログラムを読み出して実行することにより機能を実現する。また、このプログラムは、処入力データ回路２１、シフトレジスタ回路２２、ガンマ生成回路２３、Ｄ／Ａ変換回路２４、出力回路２５、出力チャネル選択回路２６の手順や方法をコンピュータに実行させるものであるともいえる。ここで、メモリとは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００２１】
なお、処入力データ回路２１、シフトレジスタ回路２２、ガンマ生成回路２３、Ｄ／Ａ変換回路２４、出力回路２５、出力チャネル選択回路２６の機能について、一部を専用のハードウェアで実現し、一部をソフトウェアまたはファームウェアで実現するようにしてもよい。
【００２２】
図３は、出力回路２５の回路構成を示す図である。出力回路２５は出力チャネルｃｈ１〜ｃｈ６のそれぞれに対応した出力バッファ回路５１〜５６を備える。なお、図３においては、図の見易さのために出力バッファ回路を６個のみ記載している。出力バッファ回路５１〜５６のそれぞれはオペアンプ５１ａ〜５６ａを含む回路である。
【００２３】
出力バッファ回路５１，５２をまとめてペア１とする。同様に、出力バッファ回路５３，５４をまとめてペア２、出力バッファ回路５５，５６をまとめてペア３とする。
【００２４】
ペア１において、出力バッファ回路５２は、出力バッファ回路５１と同様に画像信号を出力する機能に加えて、出力バッファ回路５１に異常が発生した際のバックアップ回路としても機能することが可能である。ペア１において出力バッファ回路５１，５２の入力側および出力側のそれぞれは、スイッチＳＷ１，ＳＷ２，ＳＷ３を介して接続されている。この構成は、ペア２,３においても同様である。
【００２５】
出力チャネル選択回路２６は、予め設定されたチャネル数に応じて、複数の出力チャネルｃｈ１〜ｃｈ６から信号の出力に使用する出力チャネル（即ち有効チャネル）を選択する。つまり、全ての出力チャネルｃｈ１〜ｃｈｎは、出力チャネル選択回路２６によって、有効チャネルと無効チャネルのいずれかに割り当てられる。言い換えれば、全ての出力バッファ回路５１〜５６は、出力チャネル選択回路２６によって、有効な出力バッファ回路と無効な出力バッファ回路のどちらかに分けられる。
【００２６】
出力チャネル選択回路２６は、例えばペア１の出力バッファ回路５２を有効チャネルに割り当てる場合、ペア１におけるスイッチＳＷ１，ＳＷ２，ＳＷ３に対してこれらのスイッチをオフ（非導通）させる制御信号を出力する。
【００２７】
一方、出力チャネル選択回路２６は、例えばペア１の出力バッファ回路５２を有効チャネルとして割り当てない場合（即ち無効チャネルとして割り当てる場合）、ペア１におけるスイッチＳＷ１，ＳＷ２，ＳＷ３に対してこれらのスイッチをオン（導通）させる制御信号を出力する。
【００２８】
上記、出力チャネル選択回路２６の動作はペア２における出力バッファ回路５４、ペア３における出力バッファ回路５６に対しても同様である。
【００２９】
本実施の形態１のドライブＩＣ１１において、出力バッファ回路の各ペア１〜３は、異常検出回路３０とセレクタ回路４０を備える。図４は、異常検出回路３０の構成を示す図である。図５は、セレクタ回路４０の構成を示す図である。
【００３０】
図４に示すように、異常検出回路３０は、電流−電圧変換回路３１と比較回路３２を備える。電流−電圧変換回路３１は入力される電流値に応じた電圧を出力する。比較回路３２は、入力される電圧と基準となる電圧を比較し、入力電圧が基準電圧よりも過剰に小さい場合、又は、入力電圧が基準電圧よりも過剰に大きい場合に異常検出信号を出力する。図５に示すセレクタ回路４０は、信号ＳＧ１および信号ＳＧ２を出力する。
【００３１】
図６は、ペア１（出力バッファ回路５１，５２）、異常検出回路３０およびセレクタ回路４０の接続関係を示す図である。本実施の形態１において異常検出回路３０は、出力バッファ回路５１の消費電流を測定する。以下では、出力チャネルｃｈ１が有効チャネル、出力チャネルｃｈ２が無効チャネルであると仮定して説明する。つまり、図６においてＳＷ１〜ＳＷ３はオンされている。
【００３２】
出力バッファ回路５１が正常に動作している状態（通常状態）においては、セレクタ回路４０は、信号ＳＧ１としてオン信号、信号ＳＧ２としてオフ信号を出力している。つまり、通常状態においては、出力バッファ回路５１においてスイッチＳＷ５１がオンされているため、オペアンプ５１ａに電源が供給される。また、出力バッファ回路５２においてスイッチＳＷ５２がオフされているため、オペアンプ５２ａに電源が供給されない。
【００３３】
一方、出力バッファ回路５１のオペアンプ５１ａで消費される電流が過小又は過大となると、異常検出回路３０は異常を検出して、セレクタ回路４０に対して異常検出信号を出力する。すると、セレクタ回路４０は、信号ＳＧ１としてオフ信号、信号ＳＧ２としてオン信号を出力する。つまり、異常検出状態においては、出力バッファ回路５１においてスイッチＳＷ５１がオフされるため、オペアンプ５１ａへの電源供給が停止する。同時に、出力バッファ回路５２においてスイッチＳＷ５２がオンされるため、オペアンプ５２ａへの電源供給が開始される。つまり、異常検出状態においては、オペアンプ５１ａで行われていた処理がオペアンプ５２ａでの処理に自動的に切り替えられる。
【００３４】
上記動作により、出力バッファ回路５１に異常が生じた場合においても、出力チャネルｃｈ１から継続して出力信号を出力することが可能である。
【００３５】
なお、以上ではペア１に関して説明を行ったが、ペア２、３も異常検出回路３０およびセレクタ回路４０を備え、同様の動作を行うとする。
【００３６】
図７、８、９のそれぞれは、本実施の形態１における有効チャネルと無効チャネルの割り当ての一例を示す図である。図７〜９において、出力チャネルｃｈ１〜ｃｈｎのうち、有効チャネルに割り当てられた出力チャネルを実線、無効チャネルに割り当てられた出力チャネルを破線で示す。
【００３７】
図７に示すように、出力チャネル選択回路２６は、出力チャネルｃｈ１〜ｃｈｎに有効チャネルと無効チャネルを交互に割り当ててもよい。また、図８に示すように、出力チャネル選択回路２６は、出力チャネルｃｈ１〜ｃｈｎに有効チャネルと無効チャネルをランダムに割り当ててもよい。また、図９に示すように、出力チャネル選択回路２６は、出力チャネルｃｈ１〜ｃｈｎの両端側に有効チャネルを割り当て、中央側に無効チャネルを割り当ててもよい。
【００３８】
なお、図１に示すように、液晶表示装置が複数のドライバＩＣ１１（即ち複数のソースドライバＩＣ１１）を備える構成としてもよい。この場合において、いずれかのドライバＩＣ１１をマスターモードに設定し、残りのドライバＩＣ１１をスレーブモードに設定してもよい。スレーブモードに設定されたドライバＩＣ１１は、マスターモードに設定されたドライバＩＣ１１において生成される制御信号に従って動作する。マスターモードに設定されたドライバＩＣ１１はタイミングコントローラを備える。制御信号とは、タイミングコントローラで生成される信号である。
【００３９】
各ドライバＩＣ１１のそれぞれにおいて、異常が検出された有効チャネルの出力バッファ回路を無効チャネルの出力バッファ回路へ切り替える動作は、そのドライバＩＣ１１がマスターモードかスレーブモードかに関係なく行われる。つまり、そのドライバＩＣ１１がマスターモード、スレーブモードのどちらに設定されていても、異常が検出された有効チャネルの出力バッファ回路を無効チャネルの出力バッファ回路へ切り替える動作を行うことが可能である。
【００４０】
＜効果＞
本実施の形態１におけるドライバＩＣ１１は、液晶表示パネル１０の駆動に用いられるドライバＩＣ１１であって、液晶表示パネル１０の複数の行配線又は複数の列配線のそれぞれに対して信号を出力する複数の出力チャネルｃｈ１〜ｃｈｎと、複数の出力チャネルｃｈ１〜ｃｈｎのそれぞれに対応する複数の出力バッファ回路５１〜５６と、予め設定されたチャネル数に応じて、複数の出力チャネルｃｈ１〜ｃｈｎから信号の出力に使用する出力チャネルを選択する出力チャネル選択回路２６と、を備え、複数の出力チャネルｃｈ１〜ｃｈｎは、出力チャネル選択回路２６によって選択されている有効チャネルと、有効チャネル以外の無効チャネルと、を含み、有効チャネルの出力バッファ回路に異常が生じた場合、有効チャネルからの信号の出力を継続するために、異常の生じた出力バッファ回路が、無効チャネルの出力バッファ回路に自動的に切り替えられる。
【００４１】
本実施の形態１におけるドライバＩＣにおいては、有効チャネルの出力バッファ回路に異常が生じた場合、有効チャネルからの信号の出力を継続するために、異常の生じた出力バッファ回路が、無効チャネルの出力バッファ回路に自動的に切り替えられる。よって、未使用（無効チャネル）の出力バッファ回路によるバックアップ（Ｆａｉｌ−Ｓａｆｅ）が可能となり、ドライバＩＣの信頼性を高めることが可能となる。
【００４２】
また、本実施の形態１におけるドライバＩＣ１１は、出力バッファ回路の異常を検出する異常検出回路３０と、セレクタ回路４０と、をさらに備え、セレクタ回路４０は、異常検出回路３０が有効チャネルの出力バッファ回路の異常を検出した場合、異常が検出された出力バッファ回路を、無効チャネルの出力バッファ回路に切り替える。
【００４３】
従って、ドライバＩＣ１１において、異常検出回路３０とセレクタ回路４０を設けることにより、異常が検出された出力バッファ回路を、無効チャネルの出力バッファ回路に切り替えることが可能である。
【００４４】
また、本実施の形態１におけるドライバＩＣ１１において、異常検出回路３０は、出力バッファ回路が消費する電流に基づいて、出力バッファ回路の異常を検出する。
【００４５】
出力バッファ回路に異常が生じた場合、出力バッファ回路の消費電流が過小または過大となることがある。よって、異常検出回路３０は効果的に出力バッファ回路の異常を検出することが可能である。
【００４６】
また、本実施の形態１における液晶表示装置は、ドライバＩＣ１１と、ドライバＩＣ１１によって駆動される液晶表示パネル１０と、を備える。本実施の形態１におけるドライバＩＣ１１においては、異常が生じた出力バッファ回路を未使用（無効チャネル）の出力バッファ回路によってバックアップすることが可能である。よって、出力バッファ回路に異常が生じた場合であっても、液晶表示装置において高品質な画像の表示を継続することが可能である。
【００４７】
また、本実施の形態１における液晶表示装置は、複数のドライバＩＣ１１と、ドライバＩＣ１１によって駆動される液晶表示パネル１０と、を備え、複数のドライバＩＣ１１のいずれか１つはマスターモードに設定され、その他のドライバＩＣ１１はスレーブモードに設定され、スレーブモードに設定されたドライバＩＣ１１は、マスターモードに設定されたドライバＩＣ１１にて生成される制御信号に従って動作し、複数のドライバＩＣ１１のそれぞれにおいて、異常が検出された出力バッファ回路を無効チャネルの出力バッファ回路へ切り替える動作は、ドライバＩＣ１１がマスターモードかスレーブモードかに関わらず行われる。
【００４８】
従って、マスターモード、スレーブモードの設定を用いて複数のドライバＩＣ１１によって液晶表示パネル１０を駆動する場合であっても、異常が発生した出力バッファ回路を未使用（無効チャネル）の出力バッファ回路によってバックアップ（Ｆａｉｌ−Ｓａｆｅ）することが可能である。
【００４９】
＜実施の形態２＞
図１０は、本実施の形態２における異常検出回路３０の構成を示す図である。また、図１１は、本実施の形態２におけるペア１（出力バッファ回路５１，５２）、異常検出回路３０およびセレクタ回路４０の接続関係を示す図である。本実施の形態２における異常検出回路３０以外の構成は実施の形態１と同じため、説明を省略する。
【００５０】
図１０に示すように、異常検出回路３０は、カウンタ回路３３と比較回路３４を備える。カウンタ回路３３には、出力バッファ回路５１の出力信号が入力される。カウンタ回路３３は出力信号の周期（即ち、出力信号のパルス）をカウントする。比較回路３２は、カウントされたパルス数と基準となるパルス数を比較し、カウントされたパルス数が基準パルス数よりも過剰に小さい場合又は過剰に大きい場合に異常検出信号を出力する。
【００５１】
また、図１０に示すように、異常検出回路３０は、比較回路３５を備える。比較回路３５には、出力バッファ回路５１の出力信号が入力される。比較回路３５は、出力信号の電圧レベルと基準となる電圧を比較し、出力信号の電圧レベルが基準電圧よりも過剰に小さい場合又は過剰に大きい場合に異常検出信号を出力する。異常検出信号が入力されるセレクタ回路４０の動作は実施の形態１と同じため、説明を省略する。
【００５２】
＜効果＞
本実施の形態２におけるドライバＩＣ１１において、異常検出回路３０は、出力バッファ回路が出力する信号の電圧レベルに基づいて、出力バッファ回路の異常を検出する。
【００５３】
出力バッファ回路に異常が生じた場合、出力バッファ回路の出力信号の電圧レベルが過小または過大となることがある。よって、異常検出回路３０は効果的に出力バッファ回路の異常を検出することが可能である。
【００５４】
また、本実施の形態２におけるドライバＩＣ１１において、異常検出回路３０は、出力バッファ回路が出力する信号の周期に基づいて、出力バッファ回路の異常を検出する。
【００５５】
出力バッファ回路に異常が生じた場合、出力バッファ回路の出力信号の周期が基準となる周期から外れることがある。よって、異常検出回路３０は効果的に出力バッファ回路の異常を検出することが可能である。
【００５６】
＜実施の形態３＞
図１２は、本実施の形態３におけるペア１〜３の出力バッファ回路５１〜５６、異常検出回路３０およびセレクタ回路４０の接続関係を示す図である。本実施の形態３では、異常検出回路３０およびセレクタ回路４０がペア１〜３の間で共用される。
【００５７】
本実施の形態２においては、出力チャネルｃｈ１，ｃｈ３，ｃｈ５が有効チャネル、出力チャネルｃｈ２，ｃｈ４，ｃｈ６が無効チャネルであると仮定して説明する。つまり、各ペア１〜３においてＳＷ１〜ＳＷ３はオンされている。
【００５８】
図１２に示すように、異常検出回路３０は、出力バッファ回路５１，５３，５５の消費電流の合計を測定する。
【００５９】
出力バッファ回路５１，５３，５５の全てが正常に動作している状態（通常状態）においては、セレクタ回路４０は、信号ＳＧ１としてオン信号、信号ＳＧ２としてオフ信号を出力している。つまり、通常状態においては、出力バッファ回路５１，５３，５５のそれぞれにおいてスイッチＳＷ５１，ＳＷ５３，ＳＷ５５がオンされているため、オペアンプ５１ａ，５３ａ，５５ａに電源が供給される。また、出力バッファ回路５２，５４，５６のそれぞれにおいてスイッチＳＷ５２，ＳＷ５４，ＳＷ５６がオフされているため、オペアンプ５２ａ，５４ａ，５６ａに電源が供給されない。
【００６０】
一方、出力バッファ回路５１，５３，５５のオペアンプ５１ａ，５３ａ，５５ａで消費される電流の合計が過小又は過大となると、異常検出回路３０は異常を検出して、セレクタ回路４０に対して異常検出信号を出力する。すると、セレクタ回路４０は、信号ＳＧ１としてオフ信号、信号ＳＧ２としてオン信号を出力する。つまり、異常検出状態においては、出力バッファ回路５１，５３，５５のそれぞれにおいてスイッチＳＷ５１，ＳＷ５３，ＳＷ５５がオフされるため、オペアンプ５１ａ，５３ａ，５５ａへの電源供給が停止する。同時に、出力バッファ回路５２，５４，５６のそれぞれにおいてスイッチＳＷ５２，ＳＷ５４，ＳＷ５６がオンされるため、オペアンプ５２ａ，５４ａ，５６ａへの電源供給が開始される。つまり、異常検出状態においては、オペアンプ５１ａ，５３ａ，５５ａで行われていた処理がオペアンプ５２ａ，５４ａ，５６ａでの処理に自動的にそれぞれ切り替えられる。
【００６１】
上記動作により、出バッファ回路５１，５３，５５のいずれかに異常が生じた場合においても、出力チャネルｃｈ１，ｃｈ３，ｃｈ５のそれぞれから継続して出力信号を出力することが可能である。
【００６２】
＜効果＞
本実施の形態３におけるドライバＩＣ１１において異常検出回路３０は、複数の出力バッファ回路５１〜５６において共用される。よって、本実施の形態３においては、出力バッファ回路の各ペア１〜３ごとに異常検出回路３０を設ける場合と比較して、異常検出回路３０の個数を削減することが可能である。これにより、ドライバＩＣ１１の回路規模が拡大することを抑制可能である。
【００６３】
なお、本発明は、その発明の範囲内において、各実施の形態を自由に組み合わせたり、各実施の形態を適宜、変形、省略することが可能である。
【符号の説明】
【００６４】
１，２，３  ペア、１０  液晶表示パネル、１１  ドライバＩＣ、１２  ゲートドライバＩＣ、１３  入力信号部、１４  出力信号部、２１  入力データ回路、２２  シフトレジスタ回路、２３  ガンマ生成回路、２４  Ｄ／Ａ変換回路、２５  出力回路、２６  出力チャネル選択回路、３０  異常検出回路、３１  電流−電圧変換回路、３２，３４，３５  比較回路、３３  カウンタ回路、４０  セレクタ回路、５１，５２，５３，５４，５５，５６  出力バッファ回路、５１ａ，５２ａ，５３ａ，５４ａ，５５ａ，５６ａ  オペアンプ、ｃｈ１，ｃｈ２，ｃｈｎ  出力チャネル、ＳＷ１，ＳＷ２，ＳＷ３，ＳＷ５１，ＳＷ５２，ＳＷ５３，ＳＷ５４，ＳＷ５５，ＳＷ５６  スイッチ。
【図１】
0006706954.tif 000002
【図２】
0006706954.tif 000003
【図３】
0006706954.tif 000004
【図４】
0006706954.tif 000005
【図５】
0006706954.tif 000006
【図６】
0006706954.tif 000007
【図７】
0006706954.tif 000008
【図８】
0006706954.tif 000009
【図９】
0006706954.tif 000010
【図１０】
0006706954.tif 000011
【図１１】
0006706954.tif 000012
【図１２】
0006706954.tif 000013